(57)【特許請求の範囲】
【請求項１】
作業用マスクとヘルメットとの間を接続する作業用マスク装着具であって、ヘルメットの縁部を保持可能な保持部が一端側に設けられた第１のプレートと、一端側が第１のプレートの他端側に折り返し可能に連結され且つ作業用マスクのひもの端部が他端側に接続可能である第２のプレートとを具備し、第１、第２のプレートには両プレートが折り重なった状態である閉状態を解除可能に維持するための固定手段が設けられており、前記第２のプレートは、一端側が前記第１のプレートの他端側に折り返し可能に連結され且つ作業用マスクのひもの端部が他端側に接続可能であるメインプレートと、一端側がメインプレートの他端側に折り返し可能に連結され且つ他端側に作業用マスクのひもが通される挿通用穴が形成されたサブプレートとを有した構成となっていることを特徴とする作業用マスク装着具。
【請求項２】
作業用マスクのひもが伸縮帯である場合の請求項１記載の作業用マスク装着具において、第２のプレートには作業用マスクのひもの端部を接続するために固定用穴が形成されており、当該固定用穴は作業用マスクのひもの端部をＵ字状に折り返して固定するための上下一対の溝穴であって、一方の溝穴は穴寸法が幅方向に向けて小さくなっており、他方の溝穴は穴寸法が上記とは反対の方向に小さくなっていることを特徴とする作業用マスク装着具。
【請求項３】
請求項１記載の作業用マスク装着具において、第１のプレートは、前記保持部がプレート本体部の一端側に厚み方向に向けて張り出して設けられた構成となっていることを特徴とする作業用マスク装着具。
【請求項４】
請求項３記載の作業用マスク装着具において、第１のプレートのプレート本体部にゴーグルのひもが通される切欠きフック穴が形成されていることを特徴とする作業用マスク装着具。
【請求項５】
ヘルメット本体の両縁部に連設して設けられた第１のプレートと、一端側が第１のプレートの他端側に折り返し可能に連結され且つ作業用マスクのひもの端部が他端側に接続可能である第２のプレートとを具備し、第１、第２のプレートには両プレートが折り重なった状態である閉状態を解除可能に維持するための固定手段が設けられており、前記第２のプレートは、一端側が前記第１のプレートの他端側に折り返し可能に連結され且つ作業用マスクのひもの端部が他端側に接続可能であるメインプレートと、一端側がメインプレートの他端側に折り返し可能に連結され且つ他端側に作業用マスクのひもが通される挿通用穴が形成されたサブプレートとを有した構成となっていることを特徴とするヘルメット。
【発明の詳細な説明】
【技術分野】
【０００１】
本発明はヘルメットを被った状態で防塵マスクや防毒マスク等の作業用マスクを取り外しすることが可能な作業用マスク装着具等に関する。
【背景技術】
【０００２】
防塵マスク、防毒マスク等の作業用マスクは人体に悪影響のある環境下において作業する場合に必要不可欠なものであり、ヘルメットとともに使用されるのが一般的である（類似マスクの先行例として特許文献１等がある。）。
【０００３】
【特許文献１】特開平１１−１０４２５３号公報
【発明の開示】
【発明が解決しようとする課題】
【０００４】
しかしながら、上記従来例による場合、作業用マスクを付けたり外したりする際、ヘルメットをその都度脱ぐことが必要であり、非常に使い勝手が悪い。また、装着者の頭全体が作業用マスクの伸縮帯でもって締め付けられているだけでなく、装着者が使用中に汗をかくと、その伸縮帯に付着して不快感を催したりすることが多い。しかも眼鏡をかけた装着者であると、伸縮帯と頬との間に眼鏡のテンプルが位置するため、非常に装着感が悪いという指摘もある。これらの結果、人体に悪影響のある環境下であっても、作業用マスクの装着率が低いというのが現状である。
【０００５】
本発明は上記事情に鑑みて創案されたもので、その主たる目的とするところは、ヘルメットを被った状態で作業用マスクを付けたり外したりすることを可能な作業用マスク装着具等を提供することにある。
【課題を解決するための手段】
【０００６】
本発明に係る作業用マスク装着具は、作業用マスクとヘルメットとの間を接続する作業用マスク装着具であって、ヘルメットの縁部を保持可能な保持部が一端側に設けられた第１のプレートと、一端側が第１のプレートの他端側に折り返し可能に連結され且つ作業用マスクのひもの端部が他端側に接続可能である第２のプレートとを具備し、第１、第２のプレートには両プレートが折り重なった状態である閉状態を解除可能に維持するための固定手段が設けられた構成になっている。
【０００７】
前記第２のプレートについては、一端側が第１のプレートの他端側に折り返し可能に連結され且つ作業用マスクのひもの端部が他端側に接続可能であるメインプレートと、一端側がメインプレートの他端側に折り返し可能に連結され且つ他端側に作業用マスクのひもが通される挿通用穴が形成されたサブプレートとを有した構成のものを使用する。
【０００８】
作業用マスクのひもが伸縮帯である場合、次の構成とすることが好ましい。即ち、第２のプレートには作業用マスクのひもの端部を接続するために固定用穴が形成されており、当該固定用穴は作業用マスクのひもの端部をＵ字状に折り返して固定するための上下一対の溝穴であって、一方の溝穴は穴寸法が幅方向に向けて小さくなっており、他方の溝穴は穴寸法が上記とは反対の方向に小さくなっている。
【０００９】
好ましくは、第１のプレートについては、第１のプレートは、前記保持部がプレート本体部の一端側に厚み方向に向けて張り出して設けられた構成となっているものを使用することが望ましい。また、ゴーグルを使用する場合には、第１のプレートのプレート本体部にゴーグルのひもが通される切欠きフック穴を形成するようにしても良い。
【００１１】
本発明に係るヘルメットは、ヘルメット本体の両縁部に連設して設けられた第１のプレートと、一端側が第１のプレートの他端側に折り返し可能に連結され且つ作業用マスクのひもの端部が他端側に接続可能である第２のプレートとを具備し、第１、第２のプレートには両プレートが折り重なった状態である閉状態を解除可能に維持するための固定手段が設けられており、前記第２のプレートは、一端側が前記第１のプレートの他端側に折り返し可能に連結され且つ作業用マスクのひもの端部が他端側に接続可能であるメインプレートと、一端側がメインプレートの他端側に折り返し可能に連結され且つ他端側に作業用マスクのひもが通される挿通用穴が形成されたサブプレートとを有した構成となっている。
【発明の効果】
【００１２】
以上、本発明の請求項１に係る作業用マスク装着具による場合、第２のプレートに作業用マスクのひもを取り付けることが可能である一方、ヘルメットの縁部に第１のプレートの保持部を保持させることが可能である。第１、第２のプレートを閉状態にすると、作業用マスクが装着者の口元を覆うことになるが、第１、第２のプレートを開状態にすると、ヘルメットと作業用マスクとの相対距離が大きくなり、作業用マスクが装着者の口元から離れるようにすることが可能になっている。
【００１３】
よって、作業用マスクを付けたり外したりする際、ヘルメットをその都度脱ぐ必要がなくなり、非常に使い勝手が良くなり、これに伴って、作業用マスクの装着率を向上させることが可能になる。
また、作業用マスクのひもがサブプレートの他端側に形成された挿通用穴に通されていることから、第１、第２のプレートが開状態であるときに作業用マスクが装着者側に近づいて邪魔になることがない。しかも閉状態にした際の作業用マスクの装着もスムーズに行われる。これらの点で使い勝手が一層良好になり、これに伴って、作業用マスクの装着率を一層向上させることが可能になる。
【００１５】
本発明の請求項２に係る作業用マスク装着具による場合、作業用マスクのひもの端部を第２のプレートの固定用穴に挿入するだけで、作業用マスクのひもが固定用穴から簡単には抜けない構成となっている。
【００１６】
よって、作業用マスクの取り付けを容易に行うことができ、この点で使い勝手が一層良くなり、作業用マスクの装着率を一層向上させることが可能になる。
【００１７】
本発明の請求項３に係る作業用マスク装着具による場合、ヘルメットの縁部に取り付けられた状態で第１、第２のプレートの主要部が装着者の顔から離れた位置に配置される構成になっている。
【００１８】
よって、従来例による場合とは異なり、装着者の頭全体が作業用マスクにより締め付けられたり、装着者が使用中に汗をかいても不快感を催したりすることが殆どなくなる。しかも眼鏡をかけた装着者であっても、眼鏡のテンプルに接する部分が殆どなく、装着感が良好になる。それ故、これらの点で作業用マスクの装着率を一層向上させることが可能になる。
【００１９】
本発明の請求項４に係る作業用マスク装着具による場合、ヘルメットの縁部に取り付けられた状態でゴーグルのひもが装着者の顔から離れた位置に配置される構成となっている。
【発明を実施するための最良の形態】
【００２５】
以下、本発明の実施の形態に係る作業用マスク装着具を図面を参照して説明する。図１は同作業用マスク装着具の正面図、図２は同作業用マスク装着具の第１のプレートの保持部の平面図、図３は同作業用マスク装着具の一部省略側面図、図４は同作業用マスク装着具が溝付きヘルメットの縁部に取り付けられた様子を示す模式的断面図、図５は同作業用マスク装着具の使用方法を説明するための模式図であって、（Ａ）は同作業用マスク装着具が閉状態を示す図、（Ｂ）はその開状態を示す図である。
【００２６】
ここに掲げる作業用マスク装着具１００は、図１乃至図５に示すように防塵マスク、防毒マスク等の作業用マスク３００と溝付きヘルメット２００との間を接続するのに使用される装置であって、溝付きヘルメット２００の縁部２１０を保持可能な保持部１１１が一端側に設けられた第１のプレート１１０と、一端側が第１のプレート１１０の他端側に折り返し可能に連結され且つ作業用マスク３００のひも（ここでは上下２連のゴムバンド等の伸縮帯３１０）の端部が接続される固定用穴１２１２が他端側に形成された第２のプレート１２０とを具備しており、第１、第２のプレート１１０、１２０には両プレートが折り重なった状態である閉状態を維持するための固定手段１３０が設けられている。
【００２７】
なお、図４中２１１は溝付きヘルメット２００の縁部２１０の内側に位置する溝である。同図中４００は作業用マスク３００とともに使用されるゴーグルであり、４１０はゴーグル４００の両側に取り付けられた伸縮帯である。
【００２８】
本実施形態において作業用マスク装着具１００は大きく分けて第１のプレート１１０と第２のプレート１２０（メインプレート１２１及びサブプレート１２２）から構成されており、各構成部品については、例えばプラスチック等の樹脂を成型により加工して作成している。なお、後述するアタッチメント部材１４０についても同様である。
【００２９】
第１のプレート１１０は、人間の顔の頬の面に沿うように若干湾曲させた板状のプレート本体部１１４と、プレート本体部１１４の一端側に斜めに傾け厚み方向に向けて張り出して形成された保持部１１１とを有した構成となっている。
【００３０】
プレート本体部１１４の面上の中央部には図１に示すように固定手段１３０を構成する係止片１１２が形成されている。プレート本体部１１４の端部にはゴーグル４００の伸縮帯４１０が通される切欠きフック穴１１３が形成されている。切欠きフック穴１１３はゴーグル４００の伸縮帯４１０の幅に対応した幅寸法の円弧状穴であり、その一部がゴーグル４００の伸縮帯４１０の厚みに対応した寸法の挿入溝になっている。プレート本体部１１４の他端側にはヒンジ軸部１１４２、１１４２が形成されている。
【００３１】
保持部１１１は、図１及び図２に示すようにプレート本体部１１４の一端側に斜めに傾けて厚み方向に向けて張り出して形成された底部１１１６と、底部１１１６に上向きに２列に並べて形成された４本の爪部１１１１〜１１１４と、底部１１１６の真ん中に形成された貫通口１１１５（詳しいことは後述する）を有した構成となっている。
【００３２】
爪部１１１３、１１１４は、溝付きヘルメット２００の縁部２１０の裏面側に当接する垂直片である一方、爪部１１１１、１１１２は、溝付きヘルメット２００の縁部２１０の表面側に当接するく字状の湾曲片である。即ち、爪部１１１３、１１１４と爪部１１１１、１１１２との間の隙間に溝付きヘルメット２００の縁部２１０が入り込み、縁部２１０の底面が底部１１１６、１１１６で受け止められるようになっている。即ち、溝付きヘルメット２００の縁部２１０が爪部１１１１〜１１１４により弾性的に挟み付けられ、これにより溝付きヘルメット２００の縁部２１０を保持するようになっている。
【００３３】
第２のプレート１２０は、一端側がプレート本体部１１４の他端側に折り返し可能に連結されており且つ固定用穴１２１２、１２１２が他端側に形成されたメインプレート１２１と、一端側がメインプレート１２１の他端側寄りに折り返し可能に連結されており且つ他端側に作業用マスク３００の伸縮帯３１０が通される挿通用穴１２２１、１２２１が形成されたサブプレート１２２とを有した構成となっている。
【００３４】
メインプレート１２１の一端側には第１のプレート１１０側のヒンジ軸部１１４２、１１４２と対になるヒンジ軸受部１２１４、１２１４が形成されている一方、他端側には開閉用押え片１２１３が斜め上向き（図３参照）に形成されている他、上記した固定用穴１２１２、１２１２が形成されている。固定用穴１２１２は、作業用マスク３００の伸縮帯３１０の端部をＵ字状に折り返して固定するための上下一対の溝穴１２１２ａ、１２１２ｂであって、溝穴１２１２ａは穴寸法が幅方向（図１中右方向）に向けて徐々に小さくなっており、溝穴１２１２ｂは穴寸法が上記とは反対の方向に徐々に小さくなっている。
【００３５】
メインプレート１２１上の固定用穴１２１２と固定用穴１２１２との間には固定手段１３０を構成する係止穴１２１１が形成されており、固定用穴１２１２、１２１２に上下に並べてヒンジ軸部１２１５、１２１５が形成されている。
【００３６】
サブブレート１２２の一端側にはメインプレート１２１側のヒンジ軸部１２１５、１２１５と対になるヒンジ軸受部１２２２、１２２２が形成されている一方、他端側には上記挿通用穴１２２１、１２２１が形成されている。挿通用穴１２２１はサブブレート１２２の長さ方向に向いて形成されている（図３参照）。
【００３７】
このような構成の作業用マスク装着具１００は、第１のプレート１１０とメインプレート１２１とが図３中に示すＡ方向に開閉可能であるとともに、メインプレート１２１とサブプレート１２２とが同図中に示すＢ方向に開閉可能になっている。そして、第１のプレート第１のプレート１１０側の係止片１１２がメインプレート１２１側の係止穴１２１１に入り込むと、第１のプレート１１０と第２のプレート１２０の一部を構成するメインプレート１２１との閉状態（図５（Ａ）参照、第１のプレート１１０と第２のプレート１２０とが折り重なった状態である）が解除可能に維持されるようになっている。
【００３８】
図１及び図３は作業用マスク装着具１００が開状態である様子を示している。開状態ではサブプレート１２２の端部がメインプレート１２１の面上に当たるためにメインプレート１２１とサブプレート１２２との間の開角度は図３に示す角度で規制されるようになっている。
【００３９】
開閉用押え片１２１３はメインプレート１２１の端部に斜め上向きに形成されていることは上記したとおりである。しかも開状態においてサブプレート１２２の上方位置に来ることから、指で掴み易く開閉操作を簡単に行うことが可能になる。なお、メインプレート１２１又はサブプレート１２２に開角度を規制するための片等を形成するようにしてもかまわない。
【００４０】
また、作業用マスク３００を作業用マスク装着具１００に取り付けるに際しては、図３中破線で示すように作業用マスク３００の伸縮帯３１０の端部をサブプレート１２２側の挿通用穴１２２１に通した後、メインプレート１２１側の固定用穴１２１２ｂ、ａに順次的に通すようにする。固定用穴１２１２ａ、ｂの穴形状により、これだけで作業用マスク３００の伸縮帯３１０が簡単に抜けないようになっている。なお、作業用マスク３００の伸縮帯３１０の端部を固定用穴１２１２ａ、ｂの順番で通すようにしたときも上記と全く同様である。
【００４１】
作業用マスク装着具１００を図５に示すように溝付きヘルメット２００の縁部２１０に取り付けるに際しては、溝付きヘルメット２００の片側の縁部２１０に作業用マスク装着具１００の保持部１１１を若干斜めにしながら下から差し込むようにする。
【００４２】
すると、溝付きヘルメット２００の縁部２１０が図４に示すように溝２１１も含めて保持部１１１の爪部１１１３、１１１４と爪部１１１１、１１１２との間の隙間に入り込み、これにより作業用マスク装着具１００が爪部１１１１〜１１１４により弾性的に保持される。また、溝付きヘルメット２００の縁部２１０の底が保持部１１１の底部１１１６、１１１６に当たることから、これにより作業用マスク装着具１００が溝付きヘルメット２００との関係で位置決めされる。
【００４３】
作業用マスク装着具１００が溝付きヘルメット２００の縁部２１０に取り付けられた状態においては、図５に示すように装着者の口の方向に向けられ、図４に示すように保持部１１１を除いた主要部分が装着者の顔の頬に接することなく浮いて配置され、プレート本体部１１４に形成した切欠きフック穴１１３が装着者の目の高さに来る。しかも作業用マスク３００の伸縮帯３１０がサブプレート１２２の他端側に形成された挿通用穴１２２１に通されていることから、図５に示すように開状態であるときに自重で落下した作業用マスク３００が装着者の顎の下方位置の顔よりやや前方の位置に来ることになる。
【００４４】
上記のように構成された作業用マスク装着具１００の使用方法の一例を説明する。まず、２つの作業用マスク装着具１００を用意し、作業用マスク３００の両側の伸縮帯３１０、３１０を作業用マスク装着具１００、１００に各々取り付ける（図５中は作業用マスク装着具１００等の片方しか図示されていない。）。
【００４５】
このように作業用マスク３００の両側の伸縮帯３１０、３１０を作業用マスク装着具１００、１００に取り付けた後、作業用マスク装着具１００、１００を開状態で溝付きヘルメット２００の両側の縁部２１０に各々取り付ける。
【００４６】
ゴーグル４００を使用するときには、この状態でゴーグル４００の伸縮帯４１０を作業用マスク装着具１００の切欠きフック穴１１３に通すようにしてゴーグル４００を装着者の頭に掛け回すようにすると良い。図５（Ｂ）はこの状態を示している。作業用マスク装着具１００が開状態であることから、作業用マスク３００が装着者の口元から離れて落下している。
【００４７】
作業用マスク３００を使用する際には、開閉用押え片１２１３を指で掴んでメインプレート１２１を第１のプレート１１０の方に倒し、第１のプレート１１０に重ね合わす。第１のプレート１１０側の係止片１１２がメインプレート１２１側の係止穴１２１１に入り込むと、係止片１１２の弾性力により第１のプレート１１０とメインプレート１２１との閉状態が維持される。この過程で作業用マスク３００の伸縮帯３１０がサブプレート１２２を押圧して、これによりサブプレート１２２がメインプレート１２１の方に倒されて閉状態になる。
【００４８】
このように作業用マスク装着具１００、１００を同時に開状態から閉状態にすると、これに伴って自重で落下状態にあった作業用マスク３００が装着者の口元に向けて引っ張られ、最終的に装着者の口元に装着される。図５（Ａ）はこの状態を示している。閉状態における作業用マスク３００の位置は、装着者の顎の下方位置の顔よりやや前方であることから、作業用マスク３００の装着者の口元への自動装着はスムーズに行われることになる。
【００４９】
上記とは反対に作業用マスク３００を使用しないときには、開閉用押え片１２１３を指で掴んでメインプレート１２１を上記とは逆の方向に倒す。これに伴って、第１のプレート１１０側の係止片１１２がメインプレート１２１側の係止穴１２１１から抜けると、作業用マスク３００の自重により第１のプレート１１０、第２のプレート２０が開状態になり、作業用マスク３００が装着者の口元から離れて落下する。ただ、作業用マスク３００は装着者の顎下方に位置して離れていることから邪魔にならない。図５（Ｂ）はこの状態を示している。
【００５０】
よって、作業用マスク装着具１００を使用すると、作業用マスク３００を付けたり外したりする際、溝付きヘルメット２００をその都度脱ぐ必要がなくなる。これはゴーグル４００を付け外したりするときも同様である。上記したように作業用マスク３００の伸縮帯３１０を作業用マスク装着具１００に取り付けることも容易に行うことができる。
【００５１】
しかも作業用マスク装着具１００を取り付けた状態で溝付きヘルメット２００を脱ぐと、作業用マスク３００が装着者の顎付近に当たり、これに伴って作業用マスク装着具１００が溝付きヘルメット２００から取り外される。このとき作業用マスク３００等も一緒に取り外され、非常に使い勝手が良好になる。
【００５２】
また、作業用マスク装着具１００が溝付きヘルメット２００に取り付けられた状態で、主要部分が装着者の顔から浮いていることから、装着者が使用中に汗をかいても不快感を催したりすることが殆どなくなる。作業用マスク３００やゴーグル４００で装着者の頭全体が締め付けられるという感覚もなくなり、装着感が非常に良好になる。特に、眼鏡をかけた装着者であっても、眼鏡のテンプルに接する部分がなく、装着感が悪くなることも殆どない。それ故、従来例による場合とは異なり、人体に悪影響のある環境下であって、作業用マスク３００の装着率を格段に向上させることが現実に可能になる。
【００５３】
上記のように説明した作業用マスク装着具１００については、溝付きヘルメット２００に使用されるものであったが、図５中において破線で併せて示したアタッチメント部材１４０を部品として用いると、溝無しヘルメット２００’にも適用可能になっている。この変形例を図面を参照して説明する。
【００５４】
図６は同作業用マスク装着具の変形例を説明するための図であって、（Ａ）はアタッチメント部材の側面図、（Ｂ）はアタッチメント部材の正面図、図７は同作業用マスク装着具が溝無しヘルメットの縁部に取り付けられた様子を示す模式的断面図である。
【００５５】
アタッチメント部材１４０は、溝無しヘルメット２００’の縁部２１０’を保持可能な断面Ｕ字状の保持部材１４１と、保持部材１４１の下部に形成されており且つ第１のプレート１１０の保持部１１１の貫通口１１１５に挿入可能な板状の装着部材１４２とを有しており、装着部材１４２の面上には抜け止め片１４２１が形成されている。保持部材１４１でもって溝無しヘルメット２００’の縁部２１０を上記した爪部１１１１〜１１１４と同様に弾性的に挟み付け、これにより溝無しヘルメット２００’の縁部２１０’を保持するようになっている。
【００５６】
このようなアタッチメント部材１４０を第１のプレート１１０の保持部１１１の中に差し込んで装着部材１４２を貫通口１１１５に挿入すると、抜け止め片１４２１が貫通口１１１５の裏周縁部に当接して、これによりアタッチメント部材１４０が保持部１１１に装着されるようになっている。即ち、保持部１１１は、溝付きヘルメット２００の縁部２１０が保持可能であると同時にアタッチメント部材１４０も装着可能になっている。
【００５７】
このような変形例による場合、溝付きヘルメット２００と溝無しヘルメット２００’との双方に使用可能になっており、上記した効果に加えて、適用可能なヘルメットの範囲が大幅に拡大され、この点で使い勝手が一層良くなる。また、メーカーの立場からすると、アタッチメント部材１４０を部品として準備しておけば、溝付きヘルメット用としても溝無しヘルメット用としても直ぐに販売することが可能になり、低コスト化を図ることも可能になる。
【００５８】
なお、本発明に係る作業用マスク装着具は上記実施形態に限定されず、第１のプレートについては、ヘルメットの縁部を保持可能である限り、保持部の構造、全体の形状及び材質等が問われることはなく、ヘルメットの種類等に合わせて適宜設計変更すれば良い。第２のプレートについては、一端側に第１のプレートに折り返し可能に連結され且つ作業用マスクのひもが他端側に接続可能である限り、プレート連結方法、ひも接続方法、全体の形状及び材質等が問われることがない。作業用マスクの種類に応じて適宜設計すれば良い。固定手段については、両プレートの閉状態を解除可能に維持できる限り、どのような固定方法を採用しても良く、例えば、磁石やスプリング等を用いてもかまわない。
【００５９】
次に、本発明の実施の形態に係るヘルメットを図面を参照して説明する。図８はヘルメットの構成及び使用方法を説明するための模式図であって、（Ａ）は同ヘルメットの構成部である作業用マスク装着具が閉状態を示す図、（Ｂ）はその開状態を示す図である。
【００６０】
ここに掲げるヘルメット５００は、図８に示すようにヘルメット本体５１０と、図１乃至図５に示した作業用マスク装着具１００のうち保持部１１１が省略された内容の作業用マスク装着具１００’とを有しており、作業用マスク装着具１００’，１００’がヘルメット本体５１０の両側の縁部５２０に各々設けられた構成となっている（図８中は作業用マスク装着具１００’等の片方しか図示されていない。）。
【００６１】
ヘルメット５００については、作業用マスク装着具１００’がヘルメット本体５１０に取り外しすることができないというだけで、それ以外は上記説明した作業用マスク装着具１００の場合と全く同様である。それは単に構成だけでなく、作用効果、設計変更等についても同様であることから、その詳細な説明は省略することにする。
【００６２】
なお、本発明に係るヘルメットは上記実施形態に限定されず、作業用マスク装着具がヘルメット本体の両側に縁部に設けられている限り、その固定方法や固定位置等についてはヘルメットの種類に応じて適宜設計変更すれば良い。特に作業用マスク装着具をヘルメット本体に完全に固定するのではなく、作業用マスク装着具を使用しないときには、それが邪魔にならないように開閉自在に設ける形態をとってもかまわない。
【図面の簡単な説明】
【００６３】
【図１】本発明の実施の形態を説明するための図であって、作業用マスク装着具の正面図である。
【図２】同作業用マスク装着具の第１のプレートの保持部の平面図である。
【図３】同作業用マスク装着具の一部省略側面図である。
【図４】同作業用マスク装着具が溝付きヘルメットの縁部に取り付けられた様子を示す模式的断面図である。
【図５】同作業用マスク装着具の使用方法を説明するための模式図であって、（Ａ）は同作業用マスク装着具が閉状態を示す図、（Ｂ）は開状態を示す図である。
【図６】同作業用マスク装着具の変形例を説明するための図であって、（Ａ）はアタッチメント部材の側面図、（Ｂ）はアタッチメント部材の正面図である。
【図７】同作業用マスク装着具が溝無しヘルメットの縁部に取り付けられた様子を示す模式的断面図である。
【図８】本発明に係るヘルメットの実施の形態を説明するための図であって、同ヘルメットの構成及び使用方法を説明するための模式図であり、（Ａ）は同ヘルメットの構成部である作業用マスク装着具が閉状態を示す図、（Ｂ）はその開状態を示す図である。
【符号の説明】
【００６４】
１００  作業用マスク装着具
１１０  第１のプレート
１１１  保持部
１１２  係止片（固定手段）
１１３  切欠きフック穴
１１４  プレート本体部
１２０  第２のプレート
１２１  メインプレート
１２１１  係止穴（固定手段）
１２１２  固定用穴
１２２  サブプレート
１２２１  挿通用穴
１３０  固定手段
１４０  アタッチメント部材
２００  溝付きヘルメット
２１０  縁部
２１１  溝
２００’溝無しヘルメット
２１０’縁部
３００  作業用マスク
３１０  伸縮帯
４００  ゴーグル
５００  ヘルメット
５１０  ヘルメット本体
１００’作業用マスク装着具
【図１】
0004681996.tif 000002
【図２】
0004681996.tif 000003
【図３】
0004681996.tif 000004
【図４】
0004681996.tif 000005
【図５】
0004681996.tif 000006
【図６】
0004681996.tif 000007
【図７】
0004681996.tif 000008
【図８】
0004681996.tif 000009